(57)【特許請求の範囲】
【請求項１】
インキ等の液体が充填される塗布具本体内に弁が内蔵され、塗布具本体の先端部に保持されたペン先を押し込むことにより、前記弁を開放して塗布具本体内の液体を流出させるように構成され、しかも、液体を貯留する液体貯留体が設けられた塗布具において、前記液体貯留体は前記ペン先と共に移動できるように、ペン先の周囲に接触して設けられ、且つ、ペン先の突出位置で塗布具本体に後方から当接する係止手段が、液体貯留体の前面に位置するようにペン先に設けられ、係止手段が塗布具本体に後方から当接することによってペン先の突出位置が位置決めされ、ペン先が突出状態のときに係止手段が塗布具本体に後方から当接していて液体貯留体が変形しないことを特徴とする塗布具のペン先保持構造。
【請求項２】
前記係止手段はペン先に密着状に外嵌されたペン先とは別体の部材からなる請求項１に記載の塗布具のペン先保持構造。
【請求項３】
前記係止手段はペン先に直接設けた係止部からなる請求項１に記載の塗布具のペン先保持構造。
【発明の詳細な説明】
【０００１】
【発明の属する技術分野】
本発明は、ペン先を押し込むことにより、塗布すべくインキ等の液体が流出可能な塗布具のペン先保持構造に関するものである。
【０００２】
【従来の技術】
従来、塗布具としては、インキが充填されるインキ溜部を有する塗布具本体内に弁が内蔵され、該塗布具本体の先端部に保持されたペン先を押し込むことにより、前記弁を開放して塗布具本体内のインキを流出できるように構成されたものがある。
【０００３】
しかも、前記塗布具本体の先端部分には、インキの流出を安定させると共にインキの漏れを防止するためのインキ貯留体が内蔵され、該インキ貯留体に形成された円形の挿通孔に、ペン先が相対的に摺動自在に挿通されている。
【０００４】
かかる塗布具を使用する場合には、ペン先を紙等に押圧し、塗布具本体内に数回押し込むことにより、弁を開放させて塗布具本体内のインキをペン先及びインキ貯留体に吸収させ、ペン先からインキを流出させている。
【０００５】
【発明が解決しようとする課題】
前記従来の塗布具は、ペン先が本体から不用意に抜け落ちないようにする必要があるため、例えばペン先の後部を細く削り、その後部を弁に固定する手段が採用されている。しかしながら、細くなった後部はサバケやすくなり、十分な固定効果を期待することはできず、ペン先がわずかな力で容易に抜け落ちてしまう場合が多い。
【０００６】
また、ペン先の押し込み時には、ペン先はインキ貯留体に対して相対的に摺動する構成である。このため、インキ貯留体の挿通孔の直径は、ペン先の直径と略同等に形成されており、インキ貯留体とペン先の密着性に欠けるため、インキ貯留体に貯留されたインキをペン先に効率良く補給するのに不利な構成となる。
仮に、インキの補給効率を向上するために、インキ貯留体をペン先に密着させると、ペン先の移動に伴ってインキ貯留体全体がペン先の移動方向に変形することとなり、インキ貯留体から余分なインキが絞り出され、インキがペン先を伝ってボタ落ちが発生するおそれがある。
【０００７】
本発明は、従来技術の上記した問題点に鑑み、ペン先が塗布具本体から不用意に抜け出るのを防止し、しかも、液体補給のためペン先を押し込んでも、液体のボタ落ちが発生するおそれがない塗布具のペン先保持構造を提供することを課題とする。
【０００８】
【課題を解決するための手段】
本発明が上記した課題を解決するために講じた技術的手段は、インキ等の液体が充填される塗布具本体内に弁が内蔵され、塗布具本体の先端部に保持されたペン先を押し込むことにより、前記弁を開放して塗布具本体内の液体を流出させるように構成され、しかも、液体を貯留する液体貯留体が設けられた塗布具において、前記液体貯留体は前記ペン先と共に移動できるように、ペン先の周囲に接触して設けられ、且つ、ペン先の突出位置で塗布具本体に後方から当接する係止手段が、液体貯留体の前面に位置するようにペン先に設けられ、係止手段が塗布具本体に後方から当接することによってペン先の突出位置が位置決めされ、ペン先が突出状態のときに係止手段が塗布具本体に後方から当接していて液体貯留体が変形しないことにある。
【０００９】
そして、液体貯留体はペン先と共に移動するように構成されているので、ペン先の移動時に液体貯留体は変形することはなく、液体貯留体に貯留された液体が絞り出されない。また、液体貯留体をペン先に密着させて接触を確実にできることから、液体貯留体に貯留された液体をペン先に効率良く供給することができる。しかも、ペン先の突出時には、係止手段が塗布具本体に後方から当接するため、ペン先が不用意に抜け出ることはない。
【００１０】
尚、ここで塗布具とは、ペン先からインキやのり等の液体をにじみださせる道具の総称であり、少なくとも文字を書くもの、線を書くもの、物品に色を塗るものを含む概念である。具体的な物品群としてはペン、ペイントマーカー、修正液、マニキュア、糊、クリーナー等を包含するものである。
【００１１】
【発明の実施の形態】
以下に本発明の具体的実施の形態について説明する。
第一実施の形態
図１は本発明の第一実施の形態を示し、同図において、１は本発明にかかる塗布具で、塗布具１はインキが充填されるインキ溜部２ａを有する容器２、先栓３、ペン先５、弁６及び先栓３に着脱自在に嵌合されるキャップ（図示省略）によって主構成される。尚、容器２及び先栓３により塗布具本体４が構成されている。以下、各部材の構成について説明する。
【００１４】
前記容器２は先端部が開口するようにアルミニウム、ステンレス、スチール等の深絞り成形、押出成形、しごき成形や、合成樹脂の射出成形やブロー成形、あるいは、ガラスの吹き込み成形等によって適宜成形される。
【００１５】
前記弁６は容器２及び先栓３に内蔵され、弁座８を有する弁筒７、弁枠９及び弁本体１０によって構成される。前記弁筒７の前面側にはペン先５の後端部が収納可能な収納凹部７ａが形成されている。前記弁枠９は筒状を呈し、該弁枠９には弁筒７が嵌合され、弁枠９は容器２先端の開口部分に装着されている。
【００１６】
該弁枠９内には、前記弁本体１０及びスプリング１４が内蔵され、弁本体１０はスプリング１４により、前記弁座８の弁孔１３を閉塞すべく弁座８に付勢されている。尚、弁枠９の後端には、弁枠９内にインキ溜部２ａ内のインキが自由に流入でき、且つ、弁本体１０を案内する開口１７が形成されている。
【００１７】
前記弁本体１０を容器２のインキ溜部２ａ側に向かって押圧すると、弁本体１０はスプリング１４に抗して後退し、弁本体１０が弁座８を離れて弁孔１３が開放されるため、インキ溜部２ａ内のインキが、弁枠９を介して弁筒７の収納凹部７ａ側に流れるようになっている。
【００１８】
前記先栓３は、前記容器２の直径と同等の直径を有し且つ容器２に螺合される取り付け部３ａと、該取り付け部３ａよりも小径の収納部３ｂと、更に収納部３ｂよりも小径で且つ案内孔１９を有するペン案内部３ｃとからなる。案内孔１９には前記ペン先５が出退できるように、前記弁本体１０と同軸心状に挿通されている。
【００１９】
ペン先５は断面円形状を呈し且つその前後両端は凸状の球面を有するチップからなる。チップの種類としては、特に限定されるものではないが、例えば、毛細現象によりインキを先端からにじみ出す繊維束チップや、軸方向に微小な貫通孔或いは貫通溝（図示省略）を有するナイロンチップや、ポーラス（焼結体）からなるチップが挙げられる。
【００２０】
また、ペン先５の前端部は先栓３から突出すると共に、後端は前記弁本体１０の先端に当接している。尚、前記チップの後端の形状は、球面以外に平面形状、小径の突出部またはテーパー形状等でも良く、特に限定されるものではない。
【００２１】
前記ペン先５には、インキの流出を安定させると共にインキの漏出を防止すべく、例えば筒状の連続気泡体よりなるスポンジ状のインキ貯留体（液体貯留体）２０が密着状に外嵌されている。即ち、インキ貯留体２０の中心には、ペン先５の直径よりも若干小さな挿通孔２１が形成され、該挿通孔２１にペン先５が挿通されている。また、インキ貯留体２０は、前記収納部３ｂの収納空間内に収納されており、収納部３ｂ内をペン先５と一体的に前後方向に移動自在となっている。しかも、インキ貯留体２０の外周面は、収納部３ｂの内周面に密着することはなく、接触または間隙を有して接近しており、両者間に間隙を設ける場合には、インキの流通が防止できる程度の間隙となるようにするのが好ましく、間隙はインキの粘性率により適宜設定される。
【００２２】
前記インキ貯留体２０の前後面２０ｂに位置するように、係止手段としてのリング状のチップ止め体２３ａ，２３ｂがそれぞれ外嵌固定されている。インキ貯留体２０の前面２０ａに位置するチップ止め体２３ａは、先栓３の収納部３ｂの前壁に接離自在に密着しており、ペン先５の突出位置を位置決めしている。各チップ止め体２３ａ，２３ｂはリングパッキン状または中心にペン先５に嵌入される孔を有する円板状部材からなり、その材質はポリエチレン等の合成樹脂材料やブチルゴム等からなるのが好ましい。
【００２３】
しかも、チップ止め体２３ａ，２３ｂの外径は、インキ貯留体２０の外径と略同等に設けるのが好ましく、かかかる場合には、インキ貯留体２０を前後面側から保持するため、インキ貯留体２０がペン先５からずれることはなく、仮にインキ貯留体２０が先栓３側に多少接触する場合であっても、インキ貯留体２０のペン先移動方向の変形を確実に阻止することができる。
【００２４】
次に、上記本発明の第一実施の形態の塗布具１を使用する場合について説明する。先ず、ペン先５にインキを補給する場合には、キャップを外した後に、ペン先５を紙等に一回または数回押しつける。このとき、ペン先５は容器２のインキ溜部２側に押圧されるため、弁本体１０は弁座８から離間し、弁孔１３を開放させる。
【００２５】
ペン先５が弁６を開放させると、容器２内のインキは、弁筒７内に流入し、更にペン先５及びインキ貯留体２０に吸収される。このとき、インキ貯留体２０はペン先５と一体的に前後方向に移動し且つ先栓３とは密着していないため、インキ貯留体２０が変形することはない。従って、インキ貯留体２０に貯留されたインキが絞り出されることはなく、インキのボタ落ちが発生するおそれはない。
【００２６】
また、筆記時にインキ貯留体２０のインキを消費する際にも、インキ貯留体２０はペン先５に密着しているため、インキ貯留体２０に蓄えられたインキを、効率良くペン先５に供給することができ、インキの流出性が安定し且つその流出状態は円滑であり、インキがかすれることはない。
【００２７】
インキ貯留体２０に蓄えられたインキを使い切った際には、再びペン先５を１回または数回押しつけるのであるが、前記同様にインキのボタ落ちが発生することなくインキの補給が可能である。
【００２８】
しかも、ペン先５を押し込んでいない場合には、スプリング１４は弁本体１０を介してペン先５を前方に付勢しているため、前方のチップ止め体２３ａは、先栓３の収納部３ｂの前壁に密着された状態を維持し、該収納部３ｂ内を液密状に閉塞することができ、インキが不用意に漏れ出ることはない。また、チップ止め体２３ａはストッパーの機能を有することから、ペン先５が抜け出るおそれもなく、しかも、チップ止め体２３ａが先栓３に当接するため、スプリング１４の弾性力でインキ貯留体２０を変形させることもない。
【００２９】
尚、ペン先５の係止手段としては、図２（ａ）に示す如くインキ貯留体２０の前面２０ａ側に外嵌固定してなる筒状の大径部材２６であっても良い。更には、同図（ｂ）に示す如くペン先５の後部に大径部２７を形成し、インキ貯留体２０の後面２０ｂを該大径部２７で係止すると共に、インキ貯留体２０の前面２０ａには、リング体２３ａが設けられた構成であっても良い。
【００３０】
第２実施の形態
図３に本発明の第２実施の形態の塗布具１を示す。前記容器２及び弁６等の基本構成は、前記第一実施の形態と同様であるが、前記ペン先５を前端側の小径部３０と後部側の大径部３１との二段の直径を有する構成している。そして、大径部３１には、前記インキ貯留体２０が密着状に外嵌固定されており、インキ貯留体２０はペン先５と一体的に移動する。
【００３１】
また、先栓３の収納部３ｂの前端には、ストッパー部３ｄが設けられている。該ストッパー部３ｄの直径は、収納部３ｂよりも小さく且つ案内部３ｃの直径よりも大きくなっている。そして、ストッパー部３ｄの前壁に、前記ペン先５の小径部３０と大径部３１の間の段差当接面（係止部）２５が後方から密着状に直接当接することにより、ペン先５の突出位置が位置決めされる。
【００３２】
尚、ペン先５が突出位置にあるとき、インキ貯留体２０の前面２０ａは、収納部３ｂの前壁に接近している。仮に、インキ貯留体２０の前面２０ａを、収納部３ｂの前壁に接触させる際には、インキ貯留体２０が変形しない程度に接触させるのが好ましい。
【００３３】
以上の構成からなる塗布具１を使用する場合においても、ペン先５と共にインキ貯留体２０が変更することなく移動するため、インキ貯留体２０のインキが絞り出されることがなく、インキのボタ落ちが発生するおそれはない。
【００３４】
しかも、インキ貯留体２０はペン先５に密着しているため、インキ貯留体２０に蓄えられたインキを、効率良くペン先５に供給することができ、インキの流出性が安定し且つその流出状態は円滑であり、インキがかすれることはない。
【００３５】
また、ペン先５は段差当接面２５が先栓３に当接するため、不用意に抜け出るのを防止することも可能である。
【００３６】
本発明は上記の実施の形態に限定されるものではなく、例えば液体とは筆記用のインキに限定されるものではなく、修正液、マニキュア、粘度の高い糊、クリーナー等を包含する。
【００４１】
【発明の効果】
以上のように、本発明の塗布具の液体貯留体は前記ペン先と共に移動できるように、ペン先の周囲に接触して設けられ、且つ、ペン先の突出位置で塗布具本体に後方から当接する係止手段が、液体貯留体の前面に位置するようにペン先に設けられているので、ペン先が塗布具本体から不用意に抜け出るのを防止でき、しかも、液体補給のためペン先を押し込んでも、液体のボタ落ちが発生するおそれがない。
【図面の簡単な説明】
【図１】  本発明の第一実施の形態を示す塗布具の要部断面側面図である。
【図２】  （ａ）及び（ｂ）はペン先に係止手段を設けた断面図である。
【図３】  本発明の第二実施の形態を示す塗布具の要部断面側面図である。
【符号の説明】
３          先栓３
４          塗布具本体
５          ペン先
６          弁
２０        インキ貯留体（液体貯留体）
２０ａ      インキ貯留体の前面
２０ｂ      インキ貯留体の後面
２１        挿通孔
２３ａ      チップ止め体（係止手段）
２５        段差当接面（係止部）
【図１】
0004037957.tif 000002
【図２】
0004037957.tif 000003
【図３】
0004037957.tif 000004